(57)【特許請求の範囲】
【請求項１】
処理器を有する無線通信のためのモバイル装置における電力を節約するための方法であって、
前記モバイル装置が第１のメディアアクセス制御（ＭＡＣ）層状態にあるときクロック周波数及び電圧で前記処理器を駆動することと、
第２のＭＡＣ層状態に変更することと、
前記モバイル装置が前記第２のＭＡＣ層状態にあるとき少なくとも前記クロック周波数及び電圧の何れかを調整すること、
第３のＭＡＣ層状態に変更すること、
前記クロック周波数及び前記電圧の少なくとも一方が、前記第１及び第２のＭＡＣ層状態のときとは異なるような第３のＭＡＣ層状態に前記モバイル装置があるとき、前記処理器の少なくとも前記クロック周波数及び前記電圧の一方を調整することであって、前記処理器の少なくとも前記クロック周波数及び前記電圧の一方の調節することは、各ＭＡＣ層状態のレート要求に基づく、調整すること、
データ交換状態がパワー節約状態に移行したとき、デ・レジストレーション・リクエスト（ＤＲＥＧ−ＲＥＱ）メッセージを基地局へ送信すること
を備え、
ここで前記第１、第２及び第３のＭＡＣ層状態のうちの１つが前記データ交換状態であり、そして残りのＭＡＣ層状態の１つが前記電力節約状態である、方法。
【請求項２】
前記第１のＭＡＣ層状態は、前記データ交換状態であり、前記第２のＭＡＣ層状態は前記電力節約状態である請求項１記載の方法。
【請求項３】
前記処理器の少なくとも前記クロック周波数及び電圧の何れかの調整は、前記クロック周波数を低減させることである請求項２記載の方法。
【請求項４】
前記第１のＭＡＣ層状態は、前記電力節約状態であり、前記第２のＭＡＣ層状態は前記データ交換状態である請求項１記載の方法。
【請求項５】
前記処理器の前記少なくとも前記クロック周波数及び電圧の何れかの１つの調整は、前記クロック周波数を増大させることである請求項４記載の方法。
【請求項６】
前記処理器の少なくとも前記クロック周波数及び電圧の何れかの調整は、前記第２のＭＡＣ層状態のためのクロック周波数及び電圧の少なくとも１つを有するルックアップテーブルを読み取ることを含む請求項１記載の方法、
【請求項７】
前記第１のＭＡＣ層状態は、同期状態であり、前記第２のＭＡＣ層状態はデータ交換状態であり、前記第３のＭＡＣ層状態は電力節約状態である請求項１記載の方法。
【請求項８】
処理器を有する無線通信のためのモバイル装置における電力節約のためのコンピュータ読み取り可能な媒体であって、１つ又はそれ以上の処理器によって実行されるインストラクションを格納しており、
前記インストラクションは、
前記モバイル装置が第１のメディアアクセス制御（ＭＡＣ）層状態にあるときクロック周波数及び電圧で前記処理器を駆動するインストラクションと、
第２のＭＡＣ層状態に変更するインストラクションと、
前記モバイル装置が前記第２のＭＡＣ層状態にあるとき少なくとも前記クロック周波数及び電圧の何れかを調整するインストラクションで構成されるインストラクションと、
第３のＭＡＣ層状態に変更するインストラクションと、
前記クロック周波数及び前記電圧の少なくとも一方が、前記第１及び第２のＭＡＣ層状態のときとは異なるような第３のＭＡＣ層状態に前記モバイル装置があるとき、前記処理器の少なくとも前記クロック周波数及び前記電圧の一方を調整するインストラクションであって、前記処理器の少なくとも前記クロック周波数及び前記電圧の一方の調節することは、各ＭＡＣ層状態のレート要求に基づく、調整するインストラクションと、
データ交換状態がパワー節約状態に移行したとき、デ・レジストレーション・リクエスト（ＤＲＥＧ−ＲＥＱ）メッセージを基地局へ送信するインストラクションと
を備え、
ここで前記第１、第２及び第３のＭＡＣ層状態のうちの１つが前記データ交換状態であり、そして残りのＭＡＣ層状態の１つが前記電力節約状態である、コンピュータ読み取り可能な媒体。
【請求項９】
前記第１のＭＡＣ層状態は、前記データ交換状態であり、前記第２のＭＡＣ層状態は前記電力節約状態である請求項８記載のコンピュータ読み取り可能な媒体。
【請求項１０】
前記処理器の少なくとも前記クロック周波数及び電圧の何れかの１つの調整のためのインストラクションは、前記クロック周波数を低減させるインストラクションである請求項９記載のコンピュータ読み取り可能な媒体。
【請求項１１】
前記第１の状態は、前記電力節約状態であり、前記第２のＭＡＣ層状態は前記データ交換状態である請求項８記載のコンピュータ読み取り可能な媒体。
【請求項１２】
前記処理器の前記少なくとも前記クロック周波数及び電圧の何れか１つの調整のためのインストラクションは、前記クロック周波数を増大させるインストラクションである請求項１１記載のコンピュータ読み取り可能な媒体。
【請求項１３】
前記処理器の少なくとも前記クロック周波数及び電圧の何れかの１つの調整のためのインストラクションは、前記第２のＭＡＣ層状態のためのクロック周波数及び電圧の少なくとも１つを有するルックアップテーブルを読み取るインストラクションを含む請求項８記載のコンピュータ読み取り可能な媒体。
【請求項１４】
前記第１のＭＡＣ層状態は、同期状態であり、前記第２のＭＡＣ層状態はデータ交換状態であり、前記第３のＭＡＣ層状態は電力節約状態である請求項８記載のコンピュータ読み取り可能な媒体。
【請求項１５】
処理器と、
モバイル装置が第１のメディアアクセス制御（ＭＡＣ）層状態にあるときクロック周波数及び電圧で前記処理器を駆動する手段と、
第２のＭＡＣ層状態に変更する手段と、
前記モバイル装置が前記第２のＭＡＣ層状態にあるとき少なくとも前記クロック周波数及び電圧の何れかを調整する手段と、
第３のＭＡＣ層状態に変更する手段と、
前記クロック周波数及び前記電圧の少なくとも一方が、前記第１及び第２のＭＡＣ層状態のときとは異なるような第３のＭＡＣ層状態に前記モバイル装置があるとき、前記処理器の少なくとも前記クロック周波数及び前記電圧の一方を調整する手段であって、前記処理器の少なくとも前記クロック周波数及び前記電圧の一方の調節することは、各ＭＡＣ層状態のレート要求に基づく、調整する手段と、
を備え、
データ交換状態がパワー節約状態に移行したとき、デ・レジストレーション・リクエスト（ＤＲＥＧ−ＲＥＱ）メッセージを基地局へ送信する手段と、ここで前記第１、第２及び第３のＭＡＣ層状態のうちの１つが前記データ交換状態であり、そして残りのＭＡＣ層状態の１つが前記電力節約状態である、無線通信のための装置。
【請求項１６】
前記第１のＭＡＣ層状態は、前記データ交換状態であり、前記第２のＭＡＣ層状態は前記電力節約状態である請求項１５記載の装置。
【請求項１７】
前記処理器の前記少なくとも前記クロック周波数及び電圧の何れか１つの調整のための手段は、前記クロック周波数を増大させるように構成されている請求項１６記載の装置。
【請求項１８】
前記第１のＭＡＣ層状態は、前記電力節約状態であり、前記第２のＭＡＣ層状態は前記データ交換状態である請求項１５記載の装置。
【請求項１９】
前記処理器の前記少なくとも前記クロック周波数及び電圧の何れか１つの調整のための手段は、前記クロック周波数を増大させるように構成されている請求項１８記載の装置。
【請求項２０】
前記処理器の前記少なくとも前記クロック周波数及び電圧の何れか１つの調整のための手段は、前記第２のＭＡＣ層状態のためのクロック周波数及び電圧の少なくとも１つを有するルックアップテーブルを読み取る手段を含むように構成されている請求項１５記載の装置。
【請求項２１】
前記第１のＭＡＣ層状態は、同期状態であり、前記第２のＭＡＣ層状態は前記データ交換状態であり、前記第３のＭＡＣ層状態は前記電力節約状態である請求項１５記載の装置。
【請求項２２】
処理器と、
モバイル装置が第１のメディアアクセス制御（ＭＡＣ）層状態にあるときクロック周波数及び電圧で前記処理器を駆動するように構成されたコントロールロジックと、
第２のＭＡＣ層状態に変更するように構成された状態ロジックを有し、
前記コントロールロジックは、前記モバイル装置が前記第２のＭＡＣ層状態にあるとき少なくとも前記クロック周波数及び電圧の何れか１つを調整するように構成されており、
前記状態ロジックは、第３のＭＡＣ層状態に変更するように構成され、該ロジックは、前記クロック周波数及び前記電圧の少なくとも一方が、前記第１及び第２のＭＡＣ層状態のときとは異なるような第３のＭＡＣ層状態に前記モバイル装置があるとき、前記処理器の少なくとも前記クロック周波数及び前記電圧の一方を調整するように構成され、ここで、前記処理器の少なくとも前記クロック周波数及び前記電圧の一方の調節することは、各ＭＡＣ層状態のレート要求に基づき、
ここで、前記コントロールロジックは、データ交換状態がパワー節約状態に移行したとき、デ・レジストレーション・リクエスト（ＤＲＥＧ−ＲＥＱ）メッセージを基地局へ送信し、ここで前記第１、第２及び第３のＭＡＣ層状態のうちの１つが前記データ交換状態であり、そして残りのＭＡＣ層状態の１つが前記電力節約状態である、
モバイル装置。
【請求項２３】
前記第１のＭＡＣ層状態は、前記データ交換状態であり、前記第２のＭＡＣ層状態は前記電力節約状態である請求項２２記載のモバイル装置。
【請求項２４】
前記コントロールロジックは前記クロック周波数を低減するように構成されている請求項２３記載のモバイル装置。
【請求項２５】
前記第１のＭＡＣ層状態は、前記電力節約状態であり、前記第２のＭＡＣ層状態は前記データ交換状態である請求項２２記載のモバイル装置。
【請求項２６】
前記コントロールロジックは、クロック周波数を増大させるように構成されている請求項２５記載のモバイル装置。
【請求項２７】
前記コントロールロジックは、前記クロック周波数及び電圧の少なくとも１つを有するルックアップテーブルを読み取るように構成されている請求項２２記載のモバイル装置。
【請求項２８】
前記第１のＭＡＣ層状態は、同期状態であり、前記第２のＭＡＣ層状態は前記データ交換状態であり、前記第３のＭＡＣ層状態は前記電力節約状態である請求項２２記載のモバイル装置。
【請求項２９】
さらに、前記電力節電状態をダウンリンク信号のための傾聴を行う中で、スリープ/アイドルモニタ状態に一時的に変化させることを有する請求項１記載の方法。
【請求項３０】
さらに、前記電力節電状態をダウンリンク信号のための傾聴を行う中で、スリープ/アイドルモニタ状態に一時的に変化させるインストラクションを備える請求項８記載のコンピュータ読み取り可能な媒体。
【請求項３１】
さらに、前記電力節電状態をダウンリンク信号のための傾聴を行う中で、スリープ/アイドルモニタ状態に一時的に変化させる手段を有する請求項１５記載の装置。
【請求項３２】
前記状態ロジックは、前記電力節電状態をダウンリンク信号のための傾聴を行う中で、スリープ/アイドルモニタ状態に一時的に変化させる請求項２２記載のモバイル装置。
【発明の詳細な説明】
【技術分野】
【０００１】
本開示のある一例の実施形態は、一般には無線通信に関するものもで、特に移動装置(mobile device)でのバッテリー電力の節約に関する。
【背景技術】
【０００２】
ＩＥＥＥ８０２．１６（ＷｉＭＡＸ）枠組みの中のＯＦＤＭ及びＯＦＤＭＡ無線通信システムは、直交周波数の多くのサブキャリアに基づくシステムにおいて、サービスのために登録されたワイヤレス装置（例えば移動基地）を使用して通信を行う、基地局のネットワークを使用している。
【０００３】
マルチパスフェージング及び干渉に対して強くなるように、広帯域な無線通信のための多くの技術的に優位な点を達成するために、そのようなワイヤレスシステムが装備されることができる。
【０００４】
一般に、バッテリーは、ほとんどの移動基地に対して電力を供給しており、それゆえ、電力消費はＭＳ設計技術者にとっては関心事である。ＷｉＭＡＸを使用するＭＳ動作において、バッテリー消費は、より重大となる、これはＷｉＭＡＸが秒あたり数百メガビット（Ｍｂｐｓ）レンジのデータ送受信能力を持つゆえんである。従って、ＷｉＭＡＸＭＳは、通常の２Ｇや３Ｇワイヤレス装置より、一層電力を消費する可能性がある。
【発明の概要】
【０００５】
本開示のある実施態様は、メディアアクセスコントロール（ＭＡＣ）層の状態に従ったデバイス処理器の周波数クロック及び又は電圧をダイナミックに調整することで移動装置内のバッテリー電力を節約することに関するものである。
【０００６】
本開示のある実施態様は、処理器を有する移動装置のバッテリー電力を節約する方法を提供する。前記方法は、一般に、第１のＭＡＣ層状態に従った周波数クロック及び電圧を使用した処理器を動作させること、第２のＭＡＣ層状態に移行させること、及び前記第２のＭＡＣ層状態に従った前記処理器の周波数クロック又は電圧の少なくとも１つを調整することを含む。
【０００７】
本開示のある実施態様は、処理器を有する無線通信のための移動装置の電力節約のためのコンピュータプログラム製品を提供する。前記コンピュータプログラム製品は、特に、インストラクションを格納したコンピュータ読み取り可能な媒体を含み、前記インストラクションは１つ又はそれ以上の処理器により実行可能である。前記インストラクションは、一般に、前記移動装置が第１のＭＡＣ層状態のときにクロック周波数及び電圧を使用する処理器を動作させるためのインストラクションと、第２のＭＡＣ層状態に移行させるインストラクションと、そして前記移動装置が前記第２のＭＡＣ層状態のとき前記処理器の周波数クロック又は電圧の少なくとも１つを調整するためのインストラクションを含む。
【０００８】
本開示のある実施態様は、無線通信のための装置を提供する。前記装置は、一般に、処理器と、前記移動装置が第１のＭＡＣ層状態のときにクロック周波数及び電圧を使用する処理器を動作させるための手段と、第２のＭＡＣ層状態に移行させるための手段と、そして前記移動装置が前記第２のＭＡＣ層状態のとき前記処理器の周波数クロック又は電圧の少なくとも１つを調整するための手段とを含む。
【０００９】
本開示のある実施態様は、移動装置を提供する。前記移動装置は、一般に、処理器と、前記移動装置が第１のＭＡＣ層状態のときにクロック周波数及び電圧を使用する処理器を動作させるための制御ロジックと、そして第２のＭＡＣ層状態に移行させるための状態ロジックとを含み、前記制御ロジックは、前記移動装置が前記第２のＭＡＣ層状態のとき前記処理器の周波数クロック又は電圧の少なくとも１つを調整する。
【００１０】
本開示の上述した特徴における手法が、詳細に理解されることができるように、上記の簡単な要約の、さらなる特定の説明が、実施形態を言及することによりもたらされる、それらのいくつは添付した図面に図示される。しかしながら、説明は他の等価な効果を持つ実施形態を許容するために、添付した図面はこの開示の或る特別の実施形態だけを示していること、そしてそれゆえその概念の限定として考慮されないこと、を認識されたい。
【図面の簡単な説明】
【００１１】
【図１】本開示のある実施形態に従った無線通信システムの一例を示す図である。
【図２】本開示のある実施形態に従った無線通信システムで使用されることができる各種の成分を示す図である。
【図３】本開示のある実施形態に従っており、直交周波数分割多重及び直交周波数分割多元接続（ＯＦＤＭ/ＯＦＤＭＡ）技術を用いる無線通信システムにて使用されることができる送信器及び受信器の例を示す図である。
【図４】本開示のある実施形態に従っており、ＷｉＭＡＸのためのＭＡＣ層状態マシンの一例における様々なメディアアクセス制御（ＭＡＣ）層の状態を示す図である。
【図５】本開示のある実施形態に従っており、ＭＡＣ層状態に従い装置の処理器におけるクロック周波数及び又は電圧を動的に調整することにより、移動装置における電力節約のための動作が行われる例を示すフロー図である。
【図５Ａ】本開示のある実施形態に従っており、電力節約のための図５に示した動作例に対応する手段を示すブロック図である。
【図６】本開示のある実施形態に従っており、ＭＩＰＳ当たりの電力消費に対する処理器のクロック周波数の比を示すグラフの例を示す図である。
【発明を実施するための形態】
【００１２】
本開示のある実施形態は、メディアアクセスコントロール（ＭＡＣ）層の状態に従って、装置の処理器のクロック周波数及び又は電圧をダイナミックに調整することで、無線通信のための移動装置におけるバッテリー電力の節約のための装置及び技術を提供する。
【００１３】
大量のトラフィックデータを使用する通常動作状態においてより高いクロック周波数及び又はより高い電圧の使用と、他のＭＡＣ層（例えば、取得、ネットワークエントリー、そしてスリープ/アイドリング状態）のためのより低いクロック周波数及び又はより低い電圧の使用とが採用されることにより、バッテリー電力が節約されることができる、それにより、バッテリー充電サイクルの中で装置が動作する時間を引き延ばすことができる。
【００１４】
模範的な無線通信システム
本開示の方法及び装置は、広帯域無線通信システムで使用されることができる。ここで使用されるように、用語”広帯域無線通信”は、一般的に、与えられたエリア上で、音声、インターネット及び又はデータネットワークをアクセスするというような無線サービスのどんな組み合わせでも提供することができる技術を意味する。
【００１５】
ワールドワイド・インターオペラビリティー・マイクロウエーブ・アクセスとして位置するＷｉＭＡＸは、基本規格の広帯域ワイヤレス技術であり、この技術は長距離に渡って広帯域接続の高スループットを提供する。今日では、ＷｉＭＡＸには、２つのメインアプリケーションが存在する：固定ＷｉＭＡＸと、モバイルＷｉＭＡＸである。固定ＷｉＭＡＸアプリケーションは、例えば家庭(homes)と会社(businesses)とに対して広帯域アクセスを可能とする単一対複数ポイントである。
【００１６】
モバイルＷｉＭＡＸは、ＯＦＤＭ（直交周波数分割多重）技術及びＯＦＤＭＡ（直交周波数分割多元接続）技術に基づいている。ＯＦＤＭは、様々な高データレート通信システムに幅広くその適用が最近見られる、デジタルマルチキャリア変調技術である。ＯＦＤＭの使用で、伝送ビットストリームは複数の低レートサブストリームに分割される。各サブストリームは、多重の直交サブキャリアの１つで変調され、複数のパラレルサブチャンネルの１つチャンネル上に送られる。ＯＦＤＭＡは、多元接続技術であり、ここでは、ユーザは、異なるタイムスロットのサブキャリアに割り当てられる。ＯＦＤＭＡは、フレキシブルな多元接続技術であり、これはデータレートやサービス品質を要求する広く様々なアプリケーションを使用する多くのユーザを受け入れることができる技術である。
【００１７】
無線インターネット及び通信の急激な成長は、無線通信サービスの分野で高データレートを要求することの増大を招いている。今日では、ＯＦＤＭ/ＯＦＤＭＡシステムは、最も推奨される研究分野の１つとして、また、無線通信の次世代の鍵となる技術として見なされている。これは、ＯＦＤＭ/ＯＦＤＭＡ変調方式が、従来のシングルキャリア変調方式を超えて、変調効率、スペクトラム効率、柔軟性及び強いマルチパス対応のような多くの有利な点に影響を与えることができるという事実に基づいている。
【００１８】
ＩＥＥＥ８０２．１６ｘは、固定及びモバイル・ブロードバンドアクセス（ＢＷＡ）システムのために、エアーインターフェースを定義するための現(emerging)標準組織である。これらの標準は、少なくとも４つの異なる物理層（ＰＨＹｓ）と１つのメディアアクセスコントロール（ＭＡＣ）層を定義する。４つの物理層におけるＯＦＤＭ及びＯＦＤＭＡ物理層は、固定及びモバイルＢＷＡエリアで、それぞれ、最もポピュラーである。
【００１９】
図１は、無線通信システム１００の例を図示するもので、ここでは、本発明の実施例が採用されることができる。無線通信システム１００は、広帯域無線通信システムであってもよい。無線通信システム１００は、基地局（ＢＳ）１０４によりそれぞれサービスを受ける多くのセル１０２のための通信を提供する。基地局１０４は、ユーザ端末１０６と通信を行う固定局であることができる。基地局１０４は、代わりに、アクセスポイント、ノードＢまたは他の技術用語で呼ばれることができる。
【００２０】
図１は、システム１００を通して散在された種々のユーザ端末１０６を図示している。ユーザ端末１０６は、固定（つまり基地）或いはモバイルであってもよい。ユーザ端末１０４は、代わりに、遠隔基地、アクセス端末、端末、加入者ユニット、モバイル基地、基地、ユーザ装置、その他、などと称されても良い。ユーザ端末１０６は、セルラーホーン、パーソナルデジタルアシスタント（ＰＤＡｓ）、携帯装置（handheld device)、ワイヤレスモデム、ラップトップコンピュータ、パーソナルコンピュータ、その他、などのように称されるものでもよい。
【００２１】
基地局１０４とユーザ端末１０６の間の無線通信システム１００において、アルゴリズム及び方法の様々のものが伝送のために使用されることができる。例えば、ＯＦＤＭ/ＯＦＤＭＡを用いた技術に従って、基地局１０４とユーザ端末１０６の間で信号が送受信されることができる。このケースであった場合、無線通信システム１００は、ＯＦＤＭ/ＯＦＤＭＡシステムとして称される。
【００２２】
基地局１０４からユーザ端末１０６への伝送を容易にする通信リンクは、ダウンリンク１０８と称され、ユーザ端末１０６から基地局１０４への伝送を容易にする通信リンクは、アップリンク１１０と称されることができる。また代わりに、ダウンリンク１０８は、フォワードリンク又はフォワードチャンネルと称され、そしてアップリンク１１０は、リバースリンク又はリバースチャンネルと称されてもよい。
【００２３】
セル１０２は、複数のセクタ１１２に分割されていてもよい。セクタ１１２は、セル１０２に含まれる中での物理的カバーエリアである。ワイヤレス通信システム１００に含まれる中の基地局１０４は、セル１０２内の特定のセクタ１１２における電力の流れを集中させるアンテナを利用することができる。そのようなアンテナは、指向性(directional)アンテナと称される。
【００２４】
図２は、無線通信システム１００に採用されることができる無線装置２０２に利用されることができる各種の構成要素を示している。無線装置２０２は、ここで説明される各種の方法を実施するために構成されることができる装置の一例である。無線装置２０２は、基地局１０４であってもよく又はユーザ端末１０６であってもよい。
【００２５】
無線装置２０２は、無線装置２０２の動作を制御するプロセッサ２０４を含むことができる。プロセッサ２０４は、中央処理ユニット（ＣＰＵ）と称されても良い。プロセッサは、周波数調整可能なクロック２０５を含むことができ、そして、幾つかの実施形態として、プロセッサは調整可能である供給された電力電圧または調整可能である内部電圧を有することができる。
【００２６】
リードオンリーメモリ（ＲＯＭ）及びランダムアクセスメモリ（ＲＡＭ）を含むことができるメモリ２０６は、プロセッサ２０４に対して、指令（instraction）及びデータを提供することができる。メモリ２０６の一部は、また、不揮発性ランダムアクセスメモリ（ＮＶＲＡＭ）を含むことができる。プロセッサ２０４は、メモリ２０６に格納されたプログラム指令に基づいて、論理及び計算動作を特に実行する。メモリ２０６内の指令は、ここで説明される方法を実現するために実行可能なものとすることができる。
【００２７】
無線装置２０２は、ハウジング２０８を含むことができ、このハウジングは無線装置２０２と遠隔地間のデータの送受信を可能とする送信機２１０および受信機２１２を含むことができる。送信機２１０および受信機２１２は、トランシーバー２１４の中に組み合わせられていてもよい。アンテナ２１６は、ハウジング２０８に取り付けられていても良く、そして、トランシーバー２１４に電気的に接続されていてもよい。ワイヤレス装置２０１は、複数の送信機、複数の受信機、複数のトランシーバー、及び又は複数のアンテナを含んで（図示せず）いてもよい。
【００２８】
無線装置２０２は、また、信号検出器２１８を含むことができ、この信号検出器はトランシーバー２１４により受信された信号を検出してレベルを制限するために寄与するのに使用されることができる。信号検出器２１８は、全エネルギー、擬似ノイズ（ＰＮ）チップ当たりのパイロットエネルギー、パワースペクトラム密度及びその他の信号のような信号を検出することができる。無線装置２０２は、また信号処理に使用されるためのデジタル信号処理器（ＤＳＰ）２２０を含むことができる。
【００２９】
無線装置２０２の種々の構成要素は、データバスに加えてパワーバス、コントロール信号バス及び状態信号バスを含むことができるバスシステム２２２によって、一緒に接続されることができる。
【００３０】
図３は、ＯＦＤＭ/ＯＦＤＭＡを利用する無線通信システム１００において使用されることができる送信機３０２の例である。送信機３０２の幾つかの部分は、無線装置２０２の送信機２１０内で実施されることができる。送信機３０２は、ダウンリンク１０８上でユーザ端末１０６にデータ３０６を送信するための基地局１０４内に実装されることができる。また送信機３０２は、アップリンク上で基地局１０４にデータ３０６を送信するためにユーザ端末１０６内に実装されることができる。
【００３１】
伝送されるべきデータ３０６は、シリアルパラレル（Ｓ／Ｐ）変換器３０８の入力として用意された状態を示している。Ｓ／Ｐ変換器３０８は、伝送データをＮ個のパラレルデータストリーム３１０に分割することができる。
【００３２】
次いで、Ｎ個のパラレルデータストリーム３１０は、マッパー( mapper )３１２の入力として用意されることができる。マッパー３１２は、Ｎ個のパラレルデータストリーム３１０をＮ個のコンステレーションポイント上にマップする。このマッピングは、バイナリ位相シフトキーイング（ＢＰＳＫ），直交位相シフトキーイング（ＱＰＳＫ）、８位相シフトキーイング（８ＰＳＫ）、直交振幅変調（ＱＡＭ）のその他、などのような変調コンステレーションを使用して行われる。故に、マッパー３１２は、Ｎ個のパラレルシンボルストリーム３１６を出力することができ、各シンボルストリーム３１６は、逆高速フーリエ変換（ＩＦＦＴ）３２０のＮ個の直交サブキャリアの１つに対応している。これらのＮ個のパラレルシンボルストリーム３１６は、周波数領域に表現され、そしてＩＦＦＴ成分３２０により、Ｎ個のパラレル時間領域サンプルストリーム３１８に変換されることができる。
【００３３】
技術用語に関する簡単な注釈が以下に提供されている。周波数領域におけるＮ個のパラレル変調は、周波数領域のＮ個の変調シンボルに等しく、これらは、周波数領域におけるＮ個のマッピング及びＮ点のＩＦＦＴに等しく、このことは、時間領域における１つの（有用な）ＯＦＤＭシンボルに等しく、これは時間領域におけるＮ個のサンプルに等しい。時間領域における１つのＯＦＤＭシンボル、Ｎｓ、は、Ｎｃｐ（ＯＦＤＭシンボル当たりのガードサンプルの数）＋Ｎ（ＯＦＤＭシンボル当たりの有用なシンボル数）に等しい。
【００３４】
Ｎ個のパラレル時間領域サンプルストリーム３１８は、パラレルシリアル（Ｐ／Ｓ）変換器３２４により、ＯＦＤＭ／ＯＦＤＭＡシンボルストリーム３２２に変換されることができる。ガード挿入コンポーネント３２６は、ＯＦＤＭ／ＯＦＤＭＡシンボルストリーム３２２内で、連続するＯＦＤＭ／ＯＦＤＭＡシンボルの間にガードインターバルを挿入することができる。ガード挿入コンポーネント３２６の出力は、次いで、高周波（ＲＦ）フロントエンド３２８により、所望の伝送周波数帯域にアップコンバートされる。アンテナ３３０は、次いで、結果信号３２２を伝送することができる。
【００３５】
図３は、また、ＯＦＤＭ／ＯＦＤＭＡを利用する無線装置２０２内に用いられることができる受信器３０４の例を示している。受信器３０４の一部は、無線装置２０２の受信器２１２内に装備されていてもよい。受信器３０４は、ダウンリンク１０８上で基地局１０４からデータ３０６を受信するためのユーザ端末１０６内に装備されてもよい。受信器３０４は、また、アップリンク１１０上でユーザ端末１０６からデータ３０６を受信するための基地局１０４内に装備されてもよい。
【００３６】
伝送された信号３３２は、無線チャン３３４上を伝わっていることが示されている。信号３３２’がアンテナ３３０’で受信されたとき、受信された信号３３２’は、ＲＦフロントエンド３２８’により、ベースバンド信号にダウンコンバートされることができる。ガード除去コンポーネント３２６’は、次いで、ガード挿入コンポーネント３２６によってＯＦＤＭ／ＯＦＤＭＡシンボルの間に挿入されているガードインターバルを除去することができる。
【００３７】
ガードが除去されたコンポーネント３２６’の出力は、Ｓ／Ｐ変換器３２４’に提供される。Ｓ／Ｐ変換器３２４’は、ＯＦＤＭ／ＯＦＤＭＡシンボルストリーム３２２’を、各々がＮ個の直交サブキャリアの１つに対応するＮ個のパラレル時間領域シンボルストリーム３１８’に分割する、高速フーリエ変換（ＦＦＴ）コンポーネント３２０’は、Ｎ個のパラレル時間領域シンボルストリーム３１８’を周波数領域であってＮ個のパラレル周波数領域シンボルストリーム３１６’出力に変換することができる。
【００３８】
逆マッパー（demapper）３１２’は、マッパー３１２で行われた操作の逆のシンボルマッピングを実施することができ、これによりＮ個のパラレルデータストリーム３１０’を出力する。Ｐ/Ｓ変換器３０８’は、Ｎ個のパラレルデータストリーム３１０’を単一のデータストリーム３０６’に結合することができる。理想的には、このデータストリーム３０６’は、送信器３０２の入力として用意されたデータ３０６に想到する。
【００３９】
ＭＡＣ層状態マシーンの例
図４は、本開示のある実施例に従った、ＷｉＭＡＸのための一例であるＭＡＣ層状態マシーン４００の中の様々なメディアアクセスコントロール（ＭＡＣ）層状態を示している。図４に示すように、ＭＡＣ層状態は４つのカテゴリーに分割されることができ：取得４０２、ネットワークエントリー４０４、通常動作カテゴリー４０６、そしてスリープ／アイドル４０８である。
【００４０】
最初にモバイルステーション（ＭＳ）は、非アクティブ状態４１０のＷｉＭＡＸネットワークにエンターすることができる。ＭＡがその受信回路網をパワーアップした後、ＭＳは取得状態４１２にエンターすることができる。取得状態４１２において、ＭＳは、基地局１０４からの放送信号のために傾聴することができ、鮮明信号（例えば、干渉プラスノイズ比、又はＣＩＲＮに対し、最小チャンネルを持つ信号）を持つ基地局を捕らえることを試みる。
【００４１】
ＭＳが、一度基地局を獲得すると、ＭＳはネットワークエントリーカテゴリー４０４の一部として同期状態４１４にエンターすることができる。同期状態４１４の間、ＭＳは、ＤＬ−ＭＡＰ  ＭＡＣマネジメントメッセージのようなあるダウリンクパラメータをサーチ可能である。ＭＳは、一度、ＭＡＣ同期を達成し、少なくとも１つのＤＬ−ＭＡＰメッセージを受信すると、これに含まれるＤＬバーストプロファイルをデコードすることが可能である。以降の同期において、ＭＳは、基地局１０４との間で、基本能力の登録及び取り決めをすることが可能である。
【００４２】
ＭＳがＷｉＭＡＸネットワークへのエンターリングための条件を満足した後で、ＭＳは、通常動作カテゴリー４０６のデータ交換状態４１６において、ＢＳに対するデータの伝送及びＢＳからのデータの受信の開始を行うことができる。データ交換状態４１６において、ＭＳは、秒あたり数百メガビットのデータを送信又は受信することができる。
【００４３】
或る時間経っても、ＭＳのために有効なデータが無い場合、或いは、 そのサービス基地へディ・レジストレーション・リクエスト（ＤＲＥＧ−ＲＥＱ）メッセージを伝送すると、ＭＳは、パワー節約状態４１８に変換することができ、ここでは、ＭＳはスリープモード或いはアイドルモードにエンターする。パワー節約状態４１８において、たまに、ＭＳは、ダウンリンク・チャンネル・ディスクリプター（ＤＣＤ）のようなＤＬ信号のための傾聴を行う中で、スリープ／アイドルモニタ状態４２２に一時的に変化することができる。もし、ＭＳが、トラフィック指示(Traffic Indication(TRF-IND))／ページ広告(Page Advertisement (PAG-ADV))メッセージを望んでいる場合、ＭＡは、ＢＳからのトラフィック指示／ページの受信を試みる中で、スリープ／アイドルアクセス状態４２４に変化することができる、該メッセージは、例えば、スリープ／アイドルモードからＭＳウェイクアップし、そして、データ交換状態４１６の通常動作にもどることを通知するものである。
【００４４】
もし、ＭＳがスリープ／アイドルモニタ状態４２２の間にどのようなＤＬ信号も受信しなかった場合、ＭＳは、パワー節約状態４１８にもどることができる。結局、ＭＳは、サービス基地局或いは近隣の基地局からＷｉＭＡＸネットワークを再獲得する形の再獲得状態４２０にエンターすることができる。再獲得状態４２０の後、ＭＳは、その現在のサービス基地局からＤＬ信号を傾聴するためのスリープ／アイドルモニタ状態４２２にエンターすることができる。
【００４５】
代表的な状態駆動パワーの節約技術
通常動作カテゴリー４０６のデータ交換状態４１６のみが、高いクロック周波数及び相対的に高い電圧で、処理器の動作を要求するので、ＭＳは、ＭＡＣ層状態（例えばパワー節約状態４１８）として高い周波数クロック及び高い電圧で、処理器の動作を行う必要はない。それ故、処理器は、データ交換状態４１６以外の状態で動作しているときは、低い周波数クロック及びまたは低い電圧を採用することができる。ＭＳがあるＭＡＣ層状態から他の状態に変化するとき、動的及び知的に処理器のクロック周波数及び又は動作電圧の調整が行われることにより、モバイル装置は、バッテリー電力を節約することができる。
【００４６】
図５は、ＭＡＣ層状態に応じて、装置の処理器のクロック周波数及び又は電圧を動的に調整することにより、モバイル装置の電力節約のための動作５００の例を示している。動作５００は、現在のＭＡＣ層状態に従ったあるクロック周波数及びある電圧で、無線装置２０２の処理器２０４のような、モバイル装置処理器の動作によって、５１０でスタートする。
【００４７】
５２０にて、ＭＡは異なる他のＭＡＣ層状態に変化することができる。例えば、先の図４において説明したＭＡＣ層状態マシーン４００に従って、ＭＳは一つのＭＡＣ状態から他のＭＡＣ状態に変化することができる。第１の例においては、通常動作カテゴリー４０６のデータ交換状態４１６からスリープ／アイドルモードカテゴリー４０８のパワー節約状態４１８に変化することができる。第２の例においては、ＭＳは、ネットワークエントリーカテゴリー４０４の同期状態４１４からデータ交換状態４１６に変化することができる。
【００４８】
５３０において、ＭＳは、新しい層状態に従った少なくとも最大データレートを提供しながら、バッテリー電力を節約しつつある中で、該新しいＭＡＣ層状態に従って、処理器のクロック周波数、動作電圧、或いは両方を、調整することができる。先のパラグラフの第１の例において、動的スケーリング−サポーティング処理器は、データ交換状態４１６からパワー節約状態４１８に変化した後或いは途中で、クロック周波数及び又は処理器電圧を低減させることができる。第２の例において、ＭＳは、同期状態４１４からデータ交換状態への変化に応答して、クロック周波数及び又は処理器電圧の増大を行うことができる。データ交換状態４１６のみが、上述したように、処理器のためにサポートされている最高周波数の使用を伴うことができる。
【００４９】
幾つかの実施形態として、処理器は、与えられているＭＡＣ層状態或いはカテゴリー（例えばカテゴリー４０２，４０４，４０６及び４０８）にとって好ましいクロック周波数及び又は動作電圧を示すルックアップテーブルに基づいて、どの様なクロック周波数或いは動作電圧を用いるかを決めることができる。ルックアップテーブルは、処理器２０４の内部に格納されてもよし、処理器の外部のメモリ２０６に格納されてもよい。他の実施形態として、処理器は、ＭＳが、通常動作カテゴリー４０６のＭＡＣ層において動作しているか否かに基づいて、クロック周波数又は動作電圧を決定することができる。さらにまた、動的にモデム処理器を構成するトリガとして、ＭＡＣマネージャー状態変換を使用することは、ソフトウエアにおけるほとんど経費無く行うことができる。
【００５０】
図６は、ＭＩＰＳ（million instructions per second)当たりの電力消費比―対−処理器のクロック周波数の関係を示している。一般にＭＩＰＳ当たりの電力消費比は、クロックの割合が増大すると同様に増大する。上記したように、処理器は、通常動作カテゴリー４０６のデータ交換状態４１６において、実質的なＭＩＰＳを含む高速伝送及び受信動作で唯一動作することができる。他のＭＡＣ層状態或いはカテゴリーにおいて、ＭＳ処理器は、重大なＭＩＰＳ消耗および高いクロック速度を伴った動作をする必要はない。処理器が、他のカテゴリー（取得４０２、ネットワークエントリー４０４、及びスリープ／アイドル４０８）の何れかに対応する最大のＭＩＰＳを提供できる限り、処理器はそれらの他のカテゴリーのＭＡＣ層状態の１つにあるときは、よりゆっくりしたクロックスピードで動作することができる。
【００５１】
図６のグラフ６００を参照されたい、もしクロックレートが、６００ＭＨｚから３００ＭＨｚに低下したならば、ＭＩＰＳ当たりの電力消費比は、少なくとも３６％低減できる。同様に、ＭＩＰＳ当たりの電力消費比は、６００ＭＨｚから１００ＭＨｚに低下したならば、少なくとも５２％低減可能である。
【００５２】
上記で説明した方法の各種の動作は、図に示した手段と機能ブロックに対応した、各種のハードウエア及び又はコンポーネント及び又はモジュールにより実施可能である。一般に、図に示された方法としては、対応する手段と機能ブロックの図、同様な番号が付された手段と機能ブロックに対応する動作ブックを有する。例えば図５に示されたブロック５１０−５３０は、図５Ａに示された手段と機能ブロック５１０Ａ−５３０Ａに対応する。
【００５３】
ここで使用されているように、用語"決定"は、広く様々なアクションを含む。例えば、 "決定"は、計算すること、算定すること、演算すること、処理すること、導出すること、研究、調べること、調査すること、ルックアップ（例えばテーブル、データベース、或いは他の構成をルックアップする等）すること、確認すること、その他などである。また"決定"は、受信すること（例えば受信情報）、アクセスすること（例えばメモリのデータをアクセスすること）などのようなことも含んでもよい。また、決定"は、解決すること、選択すること、選ぶこと、確立することなどのようなことを含んでも良い。
【００５４】
情報及び信号は、様々な異なる科学技術、技術、技量などを用いて再生されてことができる。上記で参照されている、例えば、データ、インストラクション、コマンド、情報、信号のようなものが、電圧、電流、電磁波、磁気フィールド又は微粒子又はこれらの組み合わせで代表されていてもよい。
【００５５】
ここで説明される技術は、直交多重方式に基づく通信システムを含む種々の通信システムで使用されることができる。そのような通信システムの例としては、直交周波数分割多元接続（ＯＦＤＭＡ）システム、シングルキャリア直交周波数分割多元接続（ＳＣ−ＦＤＭＡ）システムなどを含む。ＯＦＤＭＡシステムは、直交周波数分割多重（ＯＦＤＭ）を利用するもので、ＯＦＤＭは、全システム帯域幅を多数の直交サブキャリアに分配する変調技術である。これらのサブキャリアは、またトーン(tones)、ビン（bins)などと呼ばれてもよい。ＯＦＭＤでは、各サブキャリアはデータで独立して変調されることができる。ＳＣ−ＦＤＭＡシステムは、システム帯域幅に渡って分配されたサブキャリア上で伝送するために、インタリーブされたＦＤＭＡ（ＩＦＤＭＡ）、隣接するサブキャリアのブロック上で伝送するために配置されたＦＤＭＡ（ＩＦＤＭＡ）、或いは隣接するサブキャリアの複数のブロック上で伝送するために拡張されたサブキャリアはＦＤＭＡ（ＩＦＤＭＡ）を利用してもよい。一般に、変調シンボルは、ＯＦＤＭでは周波数ドメインに、そしてＳＣ−ＦＤＭＡでは時間ドメインに送られる。
【００５６】
本開示に関連して説明された種々の図示される論理ブロック、モジュール及び回路は、通常の処理器、デジタル信号処理器（ＤＳＰ）、特定のアプリケーション集積回路（ＡＳＣＩ）、フィールドプログラマブルゲートアレイ信号（ＦＰＧＡ）又は他のプログラマブルロジックデバイス（ＰＬＤ）、ディスクリート又はトランジスタロジック、ディスクリートハードウエアコンポーネント、又はここで説明した機能を実行するために設計されたそれらのいかなる組み合わせにより、実装され又は実施されることができる。通常の処理器は、マイクロプロセッサーであってもよく、代わりにプロセッサがいかなる商業的な有用な処理器、コントローラ、マイクロコントローラ若しくは状態マシーンであってもよい。処理器は、また、演算装置、例えば、ＤＳＰとマイクロプロセッサーの組み合わせ、複数のマイクロプロセッサー、ＤＳＰコアを伴って構築された１つ若しくはそれ以上のマイクロプロセッサー、又は他の構成、この組み合わせとして実装されていてもよい。
【００５７】
本開示に関連して説明された方法或いはアルゴリズムのステップは、ハードウエアで直接実施されることができるし、処理器により実行されるソフトウエアモジュールで実施されることができるし、またこれら２つの組み合わせでもよい。ソフトウエアモジュールは、媒体技術において知られている格納媒体のどのような形態の中にでも存在することができる。幾つかの格納媒体の例は、ランダムアクセスメモリ（ＲＡＭ），リードオンリーメモリ（ＲＯＭ），フラッシュメモリ、ＥＰＲＯＭメモリ、ＥＥＰＲＯＭメモリ、レジスター、ハードディスク、リムーバフルディスク、ＣＤ−ＲＯＭ及びそのような媒体、を含み使用されることができる。ソフトウエアモジュールは、単一インストラクション、又は多くのインストラクションを構成することができ、そして、幾つかの異なるコードセグメント、異なるプログラム間、及び複数の格納メディアに渡って配分されることができる。格納媒体は、処理器に結合されることができ、そのような処理器は当該格納媒体から情報を読み取ることができ、情報を書き込むことができる。代わりに、格納媒体は、処理器に一体化されてもよい。
【００５８】
ここで説明した方法は、１つ或いは複数のステップ、または説明した方法を実現するためのアクションを構成する。方法ステップ及び又はアクションは、請求項の概念から逸脱することなく、互いに入れ替え、交換することができる。言い換えれば、ステップ又はアクションの順番が特定されることは無いし、ステップ及び又はアクションの順番及び又は使用は、請求項の概念を逸脱することなく変形されることができる。
【００５９】
記述した機能は、ハードウエア、ソフトウエア、ファームエア又はこれらのいかなる組み合わせで実装されてもよい。もし、ソフトウエアで実装されるならば、機能は、コンピュータで読み取り可能な媒体上に１つ若しくはそれ以上のインストラクションとして格納されることができる。格納メディアは、コンピュータによりアクセスされることができるものであればどの様な有効なメディアであってもよい。例えば、限定されるものではないが、コンピュータ読み取り可能メディアは、ＲＡＭ，ＲＯＭ、ＥＰＲＯＭ，ＣＤ−ＲＯＭあるいは他の光ディスク格納体、磁気ディスク格納若しくは他のメディアであり、インストラクション或いはデータ構造の形で所望のプログラムコードを搬送若しくは格納できるものでそしてコンピュータにより読み取り可能なものであればよい。ここで使用されるディスク(Ｄｉｓｃ，ｄｉｓｃ）は、コンパクトディスク（ＣＤ），レーザーディスク（登録商標）、光ディスク、デジタルバーサタイルディスク（ＤＶＤ），フロッピー（登録商標）ディスク、ブルーレイ（登録商標）ディスクを含み、ディスクは通常は、磁気的にデータを再生する、一方、レーザで光学的にデータを再生するディスクなどである。
【００６０】
ソフトウエア或いはインストラクションは、また、伝送媒体を介して伝送されることができる。例えば、ソフトウエアが、ウエブサイト、サーバー、或いは同軸ケーブル、光ファイバーケーブル、ツィステッドペア（Twisted pair)、デジタルサブスクライバーライン(digital subscriber line; DSL)、又は赤外線、高周波、及びマイクロはナどの様な無線技術、
により伝送され、次いで同軸ケーブル、光ファイバーケーブル、ツィステッドペア、ＤＳＬ或いは又は赤外線、高周波、及びマイクロはナどの様な無線技術が、伝送媒体に含まれていても良い。
【００６１】
さらに、ここで説明した技術及び方法を実行するためのモジュール及び又は他の適切な手段は、適切なユーザ端末及び又は基地局によりダウンロード及び又は取得される。例えば、そのような装置は、ここで述べて方法を実行するたねお手段を用に伝送するためのサーバーに結合されることができる。代わりに、ここで述べられた各種の方法は、ユーザ端末及び又は基地局が装置に対して格納手段を結合或いは提供することで各種の方法を取得できるように、格納手段（例えばＲＡＭ，ＲＯＭ、コンパクトディスク（ＣＤ）或いはフロッピー（登録商標）ディスクなどの物理的格納媒体）を介して提供されることができる。さらにまた、ここで説明した方法及び技術を提供するための適切な他の技術が利用されることができる。
【００６２】
請求項は上記のように図示された構成及びコンポーネントに正確に限定されるものではないことを了解されたい。各種の変形、変化、変更が、請求項の概念を逸脱することなく上記した配置、動作及び方法と装置に対して与えられてもよい。
以下に本件出願当初の特許請求の範囲に記載された発明を付記する。
（１）  処理器を有する無線通信のためのモバイル装置における電力を節約するための方法であって、
前記モバイル装置が第１のメディアアクセス制御（ＭＡＣ）層状態にあるときクロック周波数及び電圧で前記処理器を駆動することと、
第２のＭＡＣ層状態に変更することと、
前記モバイル装置が前記第２の状態にあるとき少なくとも前記クロック周波数及び電圧の何れかを調整することを有した方法。
（２）  前記第１の状態は、データ交換状態であり、前記第２の状態は電力節約状態である（１）の方法。
（３）  前記処理器の少なくとも前記クロック周波数及び電圧の何れかの調整は、前記クロック周波数を低減させることである（２）の方法。
（４）  前記第１の状態は、電力節約状態であり、前記第２の状態はデータ交換状態である（１）の方法。
（５）  前記処理器の前記少なくとも前記クロック周波数及び電圧の何れかの１つの調整は、前記クロック周波数を増大させることである（４）の方法。
（６）  前記処理器の少なくとも前記クロック周波数及び電圧の何れかの調整は、前記第２の状態のためのクロック周波数及び電圧の少なくとも１つを有するルックアップテーブルを読み取ることを含む（１）の方法、
（７）  さらに、第３の状態へ移行し、
モバイル装置が、少なくとも前記クロック周波数及び電圧の何れかが前記第１及び第２の状態のときと異なる前記第３の状態であるとき、前記処理器の少なくとも前記クロック周波数及び電圧の何れかの調整することである（１）の方法。
（８）  前記第１の状態は、同期状態であり、前記第２の状態はデータ交換状態であり、前記第３の状態は電力節約状態である（７）の方法。
（９）  処理器を有する無線通信のためのモバイル装置における電力節約のためのコンピュータプログラム製品であって、１つ又はそれ以上の処理器によって実行されるインストラクションを格納したコンピュータ読み取り可能な媒体を構成し、
前記インストラクションは、
前記モバイル装置が第１のメディアアクセス制御（ＭＡＣ）層状態にあるときクロック周波数及び電圧で前記処理器を駆動するインストラクションと、
第２のＭＡＣ層状態に変更するインストラクションと、
前記モバイル装置が前記第２の状態にあるとき少なくとも前記クロック周波数及び電圧の何れかを調整するインストラクションで構成されるインストラクションである、コンピュータプログラム製品。
（１０）  前記第１の状態は、データ交換状態であり、前記第２の状態は電力節約状態である（９）のコンピュータプログラム製品。
（１１）  前記処理器の少なくとも前記クロック周波数及び電圧の何れかの１つの調整のためのインストラクションは、前記クロック周波数を低減させるインストラクションである（１０）のコンピュータプログラム製品。
（１２）  前記第１の状態は、電力節約状態であり、前記第２の状態はデータ交換状態である（９）のコンピュータプログラム製品。
（１３）  前記処理器の前記少なくとも前記クロック周波数及び電圧の何れか１つの調整のためのインストラクションは、前記クロック周波数を増大させるインストラクションである（１２）のコンピュータプログラム製品。
（１４）  前記処理器の少なくとも前記クロック周波数及び電圧の何れかの１つの調整のためのインストラクションは、前記第２の状態のためのクロック周波数及び電圧の少なくとも１つを有するルックアップテーブルを読み取るインストラクションを含む（９）のコンピュータプログラム製品。
（１５）  さらに、第３の状態へ移行させるインストラクションと、
モバイル装置が、少なくとも前記クロック周波数及び電圧の何れかが前記第１及び第２の状態のときと異なる前記第３の状態であるとき、前記処理器の少なくとも前記クロック周波数及び電圧の何れか１つを調整するインストラクションを有する（９）のコンピュータプログラム製品。
（１６）  前記第１の状態は、同期状態であり、前記第２の状態はデータ交換状態であり、前記第３の状態は電力節約状態である（１５）のコンピュータプログラム製品。
（１７）  処理器と、
モバイル装置が第１のメディアアクセス制御（ＭＡＣ）層状態にあるときクロック周波数及び電圧で前記処理器を駆動する手段と、
第２のＭＡＣ層状態に変更する手段と、
前記モバイル装置が前記第２の状態にあるとき少なくとも前記クロック周波数及び電圧の何れかを調整する手段を有した無線通信のための装置。
（１８）  前記第１の状態は、データ交換状態であり、前記第２の状態は電力節約状態である（１７）の装置。
（１９）  前記処理器の前記少なくとも前記クロック周波数及び電圧の何れか１つの調整のための手段は、前記クロック周波数を増大させるように構成されている（１８）の装置。
（２０）  前記第１の状態は、電力節約状態であり、前記第２の状態はデータ交換状態である（１７）の装置。
（２１）  前記処理器の前記少なくとも前記クロック周波数及び電圧の何れか１つの調整のための手段は、前記クロック周波数を増大させるように構成されている（２０）の装置。
（２２）  前記処理器の前記少なくとも前記クロック周波数及び電圧の何れか１つの調整のための手段は、前記第２の状態のためのクロック周波数及び電圧の少なくとも１つを有するルックアップテーブルを読み取る手段を含むように構成されている（１７）の装置。
（２３）  さらに、第３の状態へ移行させる手段と、
モバイル装置が、少なくとも前記クロック周波数及び電圧の何れかが前記第１及び第２の状態のときと異なる前記第３の状態であるとき、前記処理器の少なくとも前記クロック周波数及び電圧の何れか１つを調整する手段とを有する（１７）の装置。
（２４）  前記第１の状態は、同期状態であり、前記第２の状態はデータ交換状態であり、前記第３の状態は電力節約状態である（２３）の装置。
（２５）  処理器と、
モバイル装置が第１のメディアアクセス制御（ＭＡＣ）層状態にあるときクロック周波数及び電圧で前記処理器を駆動するように構成されたコントロールロジックと、
第２のＭＡＣ層状態に変更するように構成された状態ロジックを有し、
前記コントロールロジックは、前記モバイル装置が前記第２の状態にあるとき少なくとも前記クロック周波数及び電圧の何れか１つを調整するように構成されているモバイル装置。
（２６）  前記第１の状態は、データ交換状態であり、前記第２の状態は電力節約状態である（２５）のモバイル装置。
（２７）  前記コントロールロジックは前記クロック周波数を低減するように構成されている（２６）のモバイル装置。
（２８）  前記第１の状態は、電力節約状態であり、前記第２の状態はデータ交換状態である（２５）のモバイル装置。
（２９）  前記コントロールロジックは、クロック周波数を増大させるように構成されている（２８）のモバイル装置。
（３０）  前記コントロールロジックは、前記クロック周波数及び電圧の少なくとも１つを有するルックアップテーブルを読み取るように構成されている（２５）のモバイル装置。
（３１）  前記状態ロジックは、第３の状態へ移行させるように構成され、
ここで、調整のためのロジックは、該モバイル装置が、少なくとも前記クロック周波数及び電圧の何れかが前記第１及び第２の状態のときと異なる前記第３の状態であるとき、前記処理器の少なくとも前記クロック周波数及び電圧の何れか１つを調整するように構成されている（２５）のモバイル装置。
（３２）  前記第１の状態は、同期状態であり、前記第２の状態はデータ交換状態であり、前記第３の状態は電力節約状態である（３１）のモバイル装置。
【図１】
0005575773.tif 000002
【図２】
0005575773.tif 000003
【図３】
0005575773.tif 000004
【図４】
0005575773.tif 000005
【図５】
0005575773.tif 000006
【図５Ａ】
0005575773.tif 000007
【図６】
0005575773.tif 000008